(57)【要約】【課題】吸収体が拠れたり、全長に亘って束状により集まってしまうことが無いと共に、違和感なく吸収体を臀部の溝に密着させる。【解決手段】吸収体４を縦方向に３分割構造とし、バックシート２の上面側にそれぞれの吸収体４Ａ〜４Ｃを幅方向に間隔をおいて配置し、その上面側を覆うように透液性トップシート３を配置し、中央部吸収体４Ａと、一対の側部吸収体４Ｂ、４Ｃとの間の吸収体が存在しないシート部分Ａを前記中央部吸収体４Ａの略側縁部に沿ってバックシート２側に折り返すとともに、前記中央部吸収体４Ａの略下面位置で反転させて折り畳んだ後、裏面側において前記折り畳み部分が拡がらないように補強シート１２を貼設し、ナプキン１の前側領域では、折り畳みシート部分ＰＬを接着して前記中央部吸収体４Ａが持ち上がらず、ナプキン１の後側領域では、折り畳みシート部分ＰＬ同士を非接着として前記中央部吸収体４Ａが持ち上がるようにする。【選択図】図１
2008161256.tif 000002
【特許請求の範囲】
【請求項１】
透液性トップシートとバックシートとの間に吸収体が介在された吸収性物品において、
前記バックシートは中間に幅方向の折り畳み代を加えた幅寸法としておき、前記吸収体は中央部吸収体とその両側に配置される一対の側部吸収体からなる縦方向に３分割構造の吸収体とするとともに、前記バックシートの上面側にそれぞれの吸収体を幅方向に間隔をおいて配置し、その上面側に前記３分割構造の吸収体を覆うように透液性トップシートを配置し、
前記中央部吸収体と、前記一対の側部吸収体との間の吸収体が存在しないシート部分を前記中央部吸収体の略側縁部に沿ってバックシート側に折り返すとともに、前記中央部吸収体の略下面位置で反転させて折り畳んだ後、裏面側において前記折り畳み部分が拡がらないように補強シートを貼設し、
前記吸収性物品の排血部対応部を含む前側領域において、前記折り畳みシート部分を相互に接着して前記中央部吸収体が持ち上がらないようにするとともに、前記吸収性物品の後側領域において、前記折り畳みシート部分同士を非接着として前記中央部吸収体が持ち上がり可能としたことを特徴とする吸収性物品。
【請求項２】
前記吸収体とバックシートとの間の層間であって、かつ中央部吸収体及び一対の側部吸収体を含む範囲に体液拡散シートを介在させてある請求項１記載の吸収性物品。
【請求項３】
透液性トップシートと体液拡散シートとの間に吸収体が介在されるとともに、裏面全体を覆うバックシートが配設された吸収性物品であって、
前記体液拡散シートは中間に幅方向の折り畳み代を加えた幅寸法としておき、前記吸収体は中央部吸収体とその両側に配置される一対の側部吸収体からなる縦方向に３分割構造の吸収体とするとともに、前記体液拡散シートの上面側にそれぞれの吸収体を幅方向に間隔をおいて配置し、その上面側に前記３分割構造の吸収体を覆うように透液性トップシートを配置し、
前記中央部吸収体と、前記一対の側部吸収体との間の吸収体が存在しないシート部分を前記中央部吸収体の略側縁部に沿って体液拡散シート側に折り返すとともに、前記中央部吸収体の略下面位置で反転させて折り畳んだ後、裏面側全体を覆うように前記バックシートを貼設し、
前記吸収性物品の排血部対応部を含む前側領域において、前記折り畳みシート部分を相互に接着して前記中央部吸収体が持ち上がらないようにするとともに、前記吸収性物品の後側領域において、前記折り畳みシート部分同士を非接着として前記中央部吸収体が持ち上がり可能としたことを特徴とする吸収性物品。
【請求項４】
前記中央部吸収体は吸収性物品の後側領域において、後方側に行くに従って漸次、幅を狭めた形状としてある請求項１〜３いずれかに記載の吸収性物品。
【請求項５】
前記側部吸収体は吸収性物品の後側領域において、後方側に行くに従って漸次、中央部吸収体との離間が増大するように配置されている請求項１〜３いずれかに記載の吸収性物品。
【請求項６】
前記中央部吸収体の後方側領域において、中央部吸収体の裏面側に配置されているバックシート又は体液拡散シートに対して、吸収性物品の後端縁を越えて外部まで延在する持上げ用部材が配設されている請求項１〜５いずれかに記載の吸収性物品。
【請求項７】
前記中央部吸収体の後側領域において、前記中央部吸収体の後端縁よりも外部であって、透液性トップシートとバックシート又は体液拡散シートとが積層されたシート部分に、指を引っかけるための切込み又は孔を形成してある請求項１〜５いずれかに記載の吸収性物品。
【請求項８】
前記吸収性物品の後端部に、透液性トップシートとバックシート又は体液拡散シートとが積層されたシートの延在部分によって摘み代を形成してある請求項１〜５いずれかに記載の吸収性物品。
【発明の詳細な説明】
【技術分野】
【０００１】
本発明は、経血やおりものなどを吸収するための生理用ナプキン、パンティライナー、失禁パッド等の吸収性物品に係り、詳しくは着用者の体型にかかわらず、臀裂にフィットし得るようにした吸収性物品に関する。
【背景技術】
【０００２】
従来より、生理用ナプキン、パンティライナー、失禁パッドなどの吸収性物品として、ポリエチレンシートまたはポリエチレンラミネートシート不織布などの不透液性バックシートと、不織布または透液性プラスチックシートなどの透液性トップシートとの間に綿状パルプ等からなる吸収体を介在したものが知られている。
【０００３】
この種の吸収性物品においては、排泄された体液の臀部の溝を通じた後漏れを防止するための手段が種々講じられている。例えば下記特許文献１では、身体の湾曲又は動きに合わせて常にフィットする吸収性物品とするため、少なくとも吸収層の長手方向の中央部は防漏層に固定される一方、吸収層の後方部には防漏層に固定されない後方自由縁部が形成され、この後方自由縁部には吸収体の長手方向に沿って且つ所定長さに亘って弾性部材が配されており、該弾性部材の収縮により、前記後方自由縁部が防漏層の上方に向けて起立する吸収性物品が開示されている。また、下記特許文献２では、臀部の溝により適合して漏れを防ぐ吸収性物品とするため、液体阻止セクションには縦方向に延びる選択的曲げゾーンが備えられ、該選択的曲げゾーンで曲がって着用者の臀部の溝に入ることができる生理用ナプキン開示されている。
【０００４】
しかしながら、下記特許文献１に記載の吸収性物品は、臀部表面の湾曲には対応できるものの、臀部の溝を通じた漏れを防止することができず、下記特許文献２に記載の生理用ナプキンは、前記液体阻止部が自然にわずかだけ着用者の皮膚に接着し、この部分が体の輪郭を取り易くなり、臀部の溝に沿うという構成であるため、確実に臀部の溝の最深部に密着させることができなかった。
【０００５】
これらの臀部の溝からの確実な後漏れを防止するため、吸収体を臀部の溝を埋めるように密着させるようにした吸収性物品が提案されている。例えば、下記特許文献３では、身体が動いたときに臀部の溝への密着性を維持しやすい吸収性物品とするため、本体部と固定された前方部分と本体部と固定されない後方自由部分とに区分された表面構造体において、前記後方自由部分が前記本体部よりも幅寸法が小さく、且つ前記前方部分よりも幅寸法が小さく形成されるとともに、本体部の中心線に対して左右５度以上の角度で変形自在である吸収性物品が開示されている。
【０００６】
また、下記特許文献４では、吸収体が下部吸収体とこれより幅狭の上部吸収体とから構成され、前記上部吸収体は吸収性物品の表面側であって、かつナプキン長手方向中心位置に配置され、少なくとも排血部位の前方側位置から前記排血部位を含む範囲までが下部吸収体側と実質的に接合され一体を成し、前記排血部位を含む範囲までの接合後端位置からさらに後方側部分が下部吸収体側と非接合とされ、実質的に移動を拘束されない自由区間部を構成することによって、下部吸収体の大きな移動があっても上部吸収体の側に伝達されないため位置ズレを起こさずフィットした状態を保持するようになり、漏れが確実に防止される吸収性物品が開示されている。
【０００７】
更に、下記特許文献５では、液体透過性トップシートと、液体不透過性バックシートと、該トップシート及び該バックシートによって囲繞された吸収性コアとを具備する吸収性物品において、該吸収性コアは中央コア片と該中央コア片の両側に配設された一対の側コア片とを含み、幅方向圧縮力が作用すると該側コア片の各々が幅方向内側に変位せしめられて該中央コア片の下側に潜入するように構成されている吸収性物品が開示されている。
【特許文献１】特開平１１−１０４１６９号公報
【特許文献２】特開２０００−１８５０７４号公報
【特許文献３】特開２００３−７９６６２号公報
【特許文献４】特開２００３−１０２４２号公報
【特許文献５】特開平９−５６１号公報
【発明の開示】
【発明が解決しようとする課題】
【０００８】
上記特許文献３、４に記載の吸収性物品は、いずれも臀部の溝を埋めるように吸収体を密着させるものであるため臀部の溝を通じた漏れを低減することは可能であるものの、上記特許文献３、４に記載される吸収性物品は、下着の締付け力によって吸収体を臀部の溝に密着させるものであるため、下着の締付け力により吸収体のフィット性が異なっていた。すなわち、締付け力の緩い下着を使用した場合、上記特許文献３における後方自由部分及び上記特許文献４における上部吸収体は、臀裂の最深部に密着することができず、体液の後漏れが生じる問題があった。さらに、上記特許文献３、４に記載の吸収性物品は、装着者の体型によっても臀部の溝内への密着性又は装着感が異なっていた。すなわち、臀部の肉付きが少ない痩せ型の装着者にとっては、臀部の溝の深部に密着させることができるものの逆にゴワ付き感などの不快感が生じるのに対し、臀部の肉付きが多い肥満型の装着者にとっては、臀部の溝の最深部に密着させることができなかった。
【０００９】
また、上記特許文献５記載の吸収性物品の場合は、脚周りの締付け力によって両側の側コアが下側に潜り込むように内側に移動し、中央コア片が上側に移動することにより身体にフィットさせようとするものであるが、排血口近傍部位では身体にフィットさせることができるが、おしり側の臀部では横方向からの締付け力が作用しないため臀部の溝に密着させることができない。また、両側の側コアが下側に潜り込むように内側に移動することにより、側コアが拠れたり、側コアと中央コアとが束状に寄り集まってしまう傾向にあるとともに、全長に亘って中央コアの両側で側コアと重なることになると、この重なり部分が違和感をもたらすなどの問題があった。
【００１０】
そこで本発明の主たる課題は、装着者の体型の違いや着用する下着の締付け力の違いによっても吸収体のフィット性が変わらず、臀部の溝に吸収体をきっちりと密着させることができ、吸収体が拠れたり、全長に亘って束状に寄り集まってしまうことが無いと共に、違和感なく吸収体を臀部の溝に密着させることが可能な吸収性物品を提供することにある。
【課題を解決するための手段】
【００１１】
前記課題を解決するための請求項１に係る本発明として、透液性トップシートとバックシートとの間に吸収体が介在された吸収性物品において、
前記バックシートは中間に幅方向の折り畳み代を加えた幅寸法としておき、前記吸収体は中央部吸収体とその両側に配置される一対の側部吸収体からなる縦方向に３分割構造の吸収体とするとともに、前記バックシートの上面側にそれぞれの吸収体を幅方向に間隔をおいて配置し、その上面側に前記３分割構造の吸収体を覆うように透液性トップシートを配置し、
前記中央部吸収体と、前記一対の側部吸収体との間の吸収体が存在しないシート部分を前記中央部吸収体の略側縁部に沿ってバックシート側に折り返すとともに、前記中央部吸収体の略下面位置で反転させて折り畳んだ後、裏面側において前記折り畳み部分が拡がらないように補強シートを貼設し、
前記吸収性物品の排血部対応部を含む前側領域において、前記折り畳みシート部分を相互に接着して前記中央部吸収体が持ち上がらないようにするとともに、前記吸収性物品の後側領域において、前記折り畳みシート部分同士を非接着として前記中央部吸収体が持ち上がり可能としたことを特徴とする吸収性物品が提供される。
【００１２】
上記請求項１記載の本発明においては、吸収体は中央部吸収体とその両側に配置される一対の側部吸収体からなる縦方向に３分割構造の吸収体とし、前述の要領で吸収性物品を組み立てることにより、吸収性物品の排血部対応部を含む前側領域においては、前記折り畳みシート部分を相互に接着して前記中央部吸収体が持ち上がらないようにすることで、中央部吸収体と一対の側部吸収体とが並列的に配置された状態となり、一方吸収性物品の後側領域においては、前記折り畳みシート部分同士を非接着とすることにより前記中央部吸収体が持ち上がり可能としたものである。
【００１３】
特に、吸収性物品の後側領域においては、バックシートにある程度の剛性があるため、自然状態でも中央部吸収体が側部吸収体よりも上方側に持ち上がった状態となるため、装着者の体型の違いや着用する下着の締付け力の違いがあっても、前記中央部吸収体が臀部の溝に吸収体をきっちりと密着させることができる。また、中央部吸収体と一対の側部吸収体とは、吸収体の前側領域においては配列的に配置されるため、この影響により、吸収性物品の後側領域において吸収体同士が拠れたり、全長に亘って束状に寄り集まってしまうことが無いとともに、違和感なく吸収体を臀部の溝に密着させることが可能となる。
【００１４】
請求項２に係る本発明として、前記吸収体とバックシートとの間の層間であって、かつ中央部吸収体及び一対の側部吸収体を含む範囲に体液拡散シートを介在させてある請求項１記載の吸収性物品が提供される。
【００１５】
上記請求項２記載の発明は、本吸収性物品では、吸収体を縦方向に３分割構造としているため、吸収した体液が横方向に拡散しない。従って、体液拡散シートを介在させることにより、各吸収体間で体液の移行が可能となり、横方向への体液の拡散と吸収量の増大を図ることができるようになる。
【００１６】
請求項３に係る本発明として、透液性トップシートと体液拡散シートとの間に吸収体が介在されるとともに、裏面全体を覆うバックシートが配設された吸収性物品であって、
前記体液拡散シートは中間に幅方向の折り畳み代を加えた幅寸法としておき、前記吸収体は中央部吸収体とその両側に配置される一対の側部吸収体からなる縦方向に３分割構造の吸収体とするとともに、前記体液拡散シートの上面側にそれぞれの吸収体を幅方向に間隔をおいて配置し、その上面側に前記３分割構造の吸収体を覆うように透液性トップシートを配置し、
前記中央部吸収体と、前記一対の側部吸収体との間の吸収体が存在しないシート部分を前記中央部吸収体の略側縁部に沿って体液拡散シート側に折り返すとともに、前記中央部吸収体の略下面位置で反転させて折り畳んだ後、裏面側全体を覆うように前記バックシートを貼設し、
前記吸収性物品の排血部対応部を含む前側領域において、前記折り畳みシート部分を相互に接着して前記中央部吸収体が持ち上がらないようにするとともに、前記吸収性物品の後側領域において、前記折り畳みシート部分同士を非接着として前記中央部吸収体が持ち上がり可能としたことを特徴とする吸収性物品が提供される。
【００１７】
上記請求項３記載の発明は、請求項１記載の発明と対比すると、請求項１記載の発明におけるバックシート、補強シートが夫々、体液拡散シート、バックシートに代わった態様を示したものである。基本的には請求項１記載の発明と同様の効果を奏するものであるが、体液拡散シートにより各吸収体間で体液の移行が容易に可能となり、横方向への体液の拡散と吸収量の増大を図ることができる。
【００１８】
請求項４に係る本発明として、前記中央部吸収体は吸収性物品の後側領域において、後方側に行くに従って漸次、幅を狭めた形状としてある請求項１〜３いずれかに記載の吸収性物品が提供される。
【００１９】
上記請求項４記載の発明では、中央部吸収体の後方側部分を後方側に行くに従って漸次、幅を狭めた形状としてあるため、臀部の溝に入り易くなる。また、後方側に行くに従って、中央部吸収体と側部吸収体との離間が漸次、大きくなるため、中央部吸収体の立上り代が確保されることになり、中央部吸収体の立上り高を大きくすることが可能となる。
【００２０】
請求項５に係る本発明として、前記側部吸収体は吸収性物品の後側領域において、後方側に行くに従って漸次、中央部吸収体との離間が増大するように配置されている請求項１〜３いずれかに記載の吸収性物品が提供される。
【００２１】
上記請求項５記載の発明では、後方側に行くに従って、中央部吸収体と側部吸収体との離間が漸次、大きくなるため、中央部吸収体の立上り代が確保されることになり、中央部吸収体の立上り高を大きくすることが可能となり、臀部の溝の深部まで吸収体を密着させることができる。
【００２２】
請求項６に係る本発明として、前記中央部吸収体の後方側領域において、中央部吸収体の裏面側に配置されているバックシート又は体液拡散シートに対して、吸収性物品の後端縁を越えて外部まで延在する持上げ用部材が配設されている請求項１〜５いずれかに記載の吸収性物品が提供される。
【００２３】
上記請求項６記載の本発明は、装着時に、上記持上げ用部材の延在部分を摘んで上方側に引っ張り上げることによって、中央部吸収体を臀部の溝の深部に食い込ませるように密着させることが可能となる。
【００２４】
請求項７に係る本発明として、前記中央部吸収体の後方側領域において、前記中央部吸収体の後端縁よりも外部であって、透液性トップシートとバックシート又は体液拡散シートとが積層されたシート部分に、指を引っかけるための切込み又は孔を形成してある請求項１〜５いずれかに記載の吸収性物品が提供される。
【００２５】
上記請求項７記載の発明は、装着時に、上記切込み又は孔に指を引っかけて上方側に引っ張り上げることによって、中央部吸収体を臀部の溝の深部に食い込ませるように密着させることが可能となる。
【００２６】
請求項８に係る本発明として、前記吸収性物品の後端部に、透液性トップシートとバックシート又は体液拡散シートとが積層されたシートの延在部分によって摘み代を形成してある請求項１〜５いずれかに記載の吸収性物品が提供される。
【００２７】
上記請求項８記載の発明は、装着時に、上記摘み代を指で摘んで上方側に引っ張り上げることによって、中央部吸収体を臀部の溝の深部に食い込ませるように密着させることが可能となる。
【発明の効果】
【００２８】
以上詳説のとおり本発明によれば、装着者の体型の違いや着用する下着の締付け力の違いによっても、吸収体のフィット性が変わらず、臀部の溝に吸収体を密着させることができる。また、吸収体が拠れたり、全長に亘って束状により集まってしまうことが無いと共に、違和感なく吸収体を臀部の溝に密着させることが可能となる。
【発明を実施するための最良の形態】
【００２９】
以下、本発明の実施の形態について図面を参照しながら詳述する。
【００３０】
〔生理用ナプキン１の第１形態例〕
図１は本発明の第１形態例に係る生理用ナプキン１の展開図であり、図２は図１のII−II線矢視図、図３は図１のIII−III線矢視図、図４は図１のIV−IV線矢視図である。
【００３１】
前記生理用ナプキン１は、ポリエチレンシートなどからなる不透液性バックシート２と、経血やおりものなどを速やかに透過させる透液性トップシート３と、これら両シート２，３間に介装された綿状パルプまたは合成パルプなどからなる吸収体４（４Ａ〜４Ｃ）と、この吸収体４の形状保持および拡散性向上のために前記各吸収体４を囲繞するクレープ紙５と、前記吸収体４の略側縁部を起立基端とし、かつ少なくとも体液排出部を含むように前後方向に所定の区間内において表面側に突出して設けられた左右一対の立体ギャザーＢＳ、ＢＳとから主に構成され、かつ前記吸収体４の周囲においては、その上下端縁部では前記不透液性バックシート２と透液性トップシート３との外縁部がホットメルトなどの接着剤やヒートシール等の接着手段によって接合され、またその両側縁部では吸収体４よりも側方に延出している前記不透液性バックシート２と、前記立体ギャザーＢＳを形成しているサイド不織布７とがホットメルトなどの接着剤やヒートシール等の接着手段によって接合され、これら不透液性バックシート２とサイド不織布７とによる積層シート部分によって側方に突出するウイング状フラップＷ、Ｗが形成されているとともに、これよりも臀部側に位置する部分に第２ウイング状フラップＷＢ、ＷＢが形成されている。
【００３２】
以下、さらに前記生理用ナプキン１の構造について詳述すると、
前記不透液性バックシート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記不透液性バックシート２の非使用面側（外面）には１または複数条の粘着剤層（図示せず）が形成され、身体への装着時に生理用ナプキン１を下着に固定するようになっている。前記不透液性バックシート２としては、プラスチックフィルムと不織布とを積層させたポリラミ不織布を用いてもよい。
【００３３】
本生理用ナプキン１では、前記不透液性バックシート２として、図９に示されるように、中間に幅方向の折り畳み代Ａ、Ａを加えた幅寸法としたものが使用される。
【００３４】
前記吸収体４は、中央部吸収体４Ａとその両側に配置される一対の側部吸収体４Ｂ、４Ｃからなる縦方向に３分割構造の吸収体とされる。各吸収体４は、たとえばパルプ中に高吸水性樹脂を混入したもの、或いはパルプ中に化学繊維を混入させるとともに、高吸水性樹脂を混入したものが使用される。各吸収体４Ａ〜４Ｃは、図示のように、形状保持、および経血等を速やかに拡散させるとともに、一旦吸収した経血等の逆戻りを防止するためにクレープ紙５によって囲繞するのが望ましい。前記パルプとしては、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００３５】
前記高吸水性樹脂としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性樹脂は製造プロセスにおいて、架橋密度および架橋密度勾配を調整することにより吸水力と吸水速度の調整が可能である。前記高吸水性樹脂の含有率は１０〜６０％とするのが望ましい。高吸水性樹脂含有率が１０％未満の場合には、十分な吸収能を与えることができず、６０％を超える場合にはパルプ繊維間の絡み合いが無くなり、シート強度が低下し破れや割れ等が発生し易くなる。
【００３６】
本生理用ナプキン１では、図９に示されるように、前記中央部吸収体４Ａ及び側部吸収体４Ｂ、４Ｃは、前記不透液性バックシート２の上面側に、それぞれの吸収体４Ａ〜４Ｃが幅方向に間隔をおいて配置される。
【００３７】
次いで、前記透液性トップシート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。前記透液性トップシート３に多数の透孔を形成した場合には、経血やおりもの等（以下、まとめて体液という。）が速やかに吸収されるようになり、ドライタッチ性に優れたものとなる。
【００３８】
前記透液性トップシート３は、図９に示されるように、吸収体４Ａ〜４Ｃを配置したその上面側に、少なくとも３分割構造の吸収体全体を覆うように配置される。
【００３９】
前記透液性トップシート３の幅寸法は、図示例では、図２および図３の横断面図に示されるように、吸収体４の幅よりも若干長めとされ、吸収体４を覆うだけに止まり、前記立体ギャザーＢＳは前記透液性トップシート３とは別のサイド不織布７、具体的には経血やおりもの等が浸透するのを防止する、あるいは肌触り感を高めるなどの目的に応じて、適宜の撥水処理または親水処理を施した不織布素材を用いて構成されている。かかるサイド不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１５〜２３g/m２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００４０】
前記サイド不織布７は、図２および図３に示されるように、幅方向中間部より外側部分を吸収体４の内側位置から吸収体側縁を若干越えて不透液性バックシート２の外縁までの範囲に亘ってホットメルトなどの接着剤によって接着し、これら前記サイド不織布７と不透液性バックシート２との積層シート部分により、ほぼ体液排出部に相当する吸収体側部位置に左右一対のウイングフラップＷ、Ｗを形成するとともに、これより臀部側位置に第２ウイング状フラップＷＢ、ＷＢを形成している。これらウイング状フラップＷ、Ｗおよび第２ウイング状フラップＷＢ、ＷＢの外面側にはそれぞれ粘着剤層１０…，１１…を備え、ショーツに対する装着時に、前記ウイング状フラップＷ、Ｗが折返し線ＲＬ位置にて反対側に折り返し、ショーツのクロッチ外面部分に巻き付けて止着するようになっている。
【００４１】
前記サイド不織布７の内方側部分はほぼ二重に折り返されるとともに、この二重シート内部に、その高さ方向中間部に両端または長手方向の適宜の位置が固定された糸状弾性伸縮部材１９が配設されるとともに、前記糸状弾性伸縮部材１９の上側部位に複数本の、図示例では２本の糸状弾性伸縮部材２０，２０が両端または長手方向の適宜の位置が固定された状態で配設されている。この二重シート部分は前後端部では図３に示されるように、断面Ｚ状に折り畳んで積層された状態で吸収体４側に接着されることによって、前記糸状弾性伸縮部材１９配設部位を屈曲点として、断面く字状に内側に開口を向けたポケットを形成しながら表面側に起立する立体ギャザーＢＳ、ＢＳが形成されている。
【００４２】
本生理用ナプキン１では、図９に示される展開状態から、図１０(A)に示されるように、前記中央部吸収体４Ａと、前記一対の側部吸収体４Ｂ、４Ｃとの間の吸収体が存在しないシート部分Ａ（＝折畳み代Ａ）を前記中央部吸収体４Ａの略側縁部に沿ってバックシート２側に折り返すとともに（折畳み線(1)）、前記中央部吸収体４Ａの略下面位置で反転させて折返すようにして（折畳み線(2)）、折り畳んだならば、図１０(B)に示されるように、裏面側において前記折り畳み部分ＰＬが拡がらないように補強シート１２を貼設し、折り畳み形状を安定させる。
【００４３】
この際、図１に生理用ナプキン１の排血部対応部Ｈを含む前側領域においては、図２に示されるように、前記折り畳みシート部分ＰＬを相互に接着して前記中央部吸収体４Ａが持ち上がらないようにするとともに、生理用ナプキン１の後側領域においては、図３に示されるように、前記折り畳みシート部分ＰＬ同士を非接着として前記中央部吸収体４Ａが持ち上がり可能とする。前記中央部吸収体４Ａの後側領域では、バックシート２にある程度の剛性があるため、自然な状態でも中央部吸収体４Ａが側部吸収体４Ｂ、４Ｃよりも上方側に持ち上がった状態となる。従って、身体への装着状態で前記中央部吸収体４Ａを臀部の溝にきっちりと密着させることができるようになる。また、前記中央部吸収体４Ａは、上下方向のみならず、左右方向に移動可能であるため、身体に動きがあってもこれに追従しフィット性を損なうことがない。
【００４４】
ところで、前記中央部吸収体４Ａの後方側領域においては、図１及び図４に示されるように、中央部吸収体４Ａの裏面側に配置されている不透液性バックシート２に対して、生理用ナプキン１の後端縁を越えて外部まで延在する持上げ用部材１３が配設されている。装着時に、この持上げ用部材１３の延在部分を摘んで上方側に引っ張り上げることによって、中央部吸収体４Ａを臀部の溝の深部まで食い込ませるように密着させることが可能となる。
【００４５】
前記持上げ用部材１３としては、不織布、弾性体、ヒモなど、装着時に中央部吸収体４Ａを臀部の溝に挟み込ませるために引張力を加えても引きちぎれない程度の強度を有する素材を使用することができる。或いは、生理用ナプキン１の装着時に、所定の引張力を掛けた際に破断若しくは接着が剥離するようにすることも可能である。この場合は、持上げ用部材１３が無くなるため、装着中にゴワ付き感などの不快感を与えない点で好ましい。この持上げ用部材１３は、特に長いような場合は、使用前の状態で中央部吸収体４Ａの下側の空間内に折り畳んだ状態で収容するようにすれば見栄えも良いものとなる。
【００４６】
前記中央部吸収体４Ａの平面形状は、図１に示される等幅形状の他に、図５に示されるように、後側領域において、後方側に行くに従って漸次、幅を狭めた形状とすることも可能である。この場合は、臀部の溝に入り易くなるとともに、後方側に行くに従って、中央部吸収体４Ａと側部吸収体４Ｂ、４Ｃとの離間が漸次、大きくなるため、中央部吸収体４Ａの立上り代が確保されることになり、中央部吸収体４Ａの立上り高を大きくすることができる。更には、図６に示されるように、前記側部吸収体４Ｂ、４Ｃを、生理用ナプキン１の後側領域において、後方側に行くに従って漸次、中央部吸収体４Ａとの離間が増大するように配置することも可能である。この場合は、中央部吸収体４Ａと側部吸収体４Ｂ、４Ｃとの離間が漸次、大きくなるため、中央部吸収体４Ａの立上り代が確保されることになり、中央部吸収体４Ａの立上り高を大きくすることが可能となり、臀部の溝の深部まで吸収体を密着させることができるようになる。
【００４７】
図７に示される変形例は、前記吸収体４Ａ〜４Ｃと不透液性バックシート２との間の層間であって、かつ中央部吸収体４Ａ及び一対の側部吸収体４Ｂ、４Ｃを含む範囲に体液拡散シート１４を介在させておき、この状態から図１０に示される要領で幅方向の折畳みを行うようにしたものである。本生理用ナプキン１では、吸収体４を縦方向に３分割構造としているため、吸収した体液が横方向に拡散しないため、前記体液拡散シート１４を予め介在させておくことにより各吸収体間で体液の移行が可能となり、横方向への体液の拡散と吸収量の増大を図ることができるようになる。前記体液拡散シートとしては、親水処理した不織布やパルプ不織布など吸収性を有するシート部材が好適に使用される。
【００４８】
図８に示される変形例は、生理用ナプキンの前側領域において、中央部吸収体４Ａの両側面と、側部吸収体４Ｂ、４Ｃの側面とを接着剤によって接着するようにした態様を示したものである。
【００４９】
〔生理用ナプキン１の第２形態例〕
上記第１形態例では、前記不透液性バックシート２は、中間に幅方向の折り畳み代Ａ、Ａを加えた幅寸法としておき、前記吸収体４は中央部吸収体４Ａとその両側に配置される一対の側部吸収体４Ｂ、４Ｃからなる縦方向に３分割構造の吸収体とするとともに、前記不透液性バックシート２の上面側にそれぞれの吸収体４Ａ〜４Ｃを幅方向に間隔をおいて配置し、その上面側に前記３分割構造の吸収体４Ａ〜４Ｃを覆うように透液性トップシート３を配置した後、前記中央部吸収体４Ａと、前記一対の側部吸収体４Ｂ、４Ｃとの間の吸収体が存在しないシート部分Ａを前記中央部吸収体４Ａの略側縁部に沿ってバックシート側に折り返すとともに、前記中央部吸収体４Ａの略下面位置で反転させて折り畳んだ後、裏面側において前記折り畳み部分が拡がらないように補強シート１２を貼設したが、丁度、前記不透液性バックシート２を体液拡散シート１５に代え、かつ前記補強シート１２を裏面全体を覆う不透液性バックシート２に代えた構造とすることも可能である。
【００５０】
具体的には、図１１(A)に示されるように、体液拡散シート１５は中間に幅方向の折り畳み代Ａ，Ａを加えた幅寸法としておき、前記吸収体４は第１形態例と同様に、中央部吸収体４Ａとその両側に配置される一対の側部吸収体４Ｂ、４Ｃからなる縦方向に３分割構造の吸収体とするとともに、前記体液拡散シート１５の上面側にそれぞれの吸収体４Ａ〜４Ｃを幅方向に間隔をおいて配置し、その上面側に前記３分割構造の吸収体を覆うように透液性トップシート３を配置した後、前記中央部吸収体４Ａと、前記一対の側部吸収体４Ｂ、４Ｃとの間の吸収体が存在しないシート部分Ａ，Ａを前記中央部吸収体４Ａの略側縁部に沿って体液拡散シート１５側に折り返すとともに、前記中央部吸収体４Ａの略下面位置で反転させて折り畳んだ後、裏面側全体を覆うように前記不透液性バックシート２を貼設するようにしたものである。この場合には、中央部吸収体４Ａ、側部吸収体４Ｂ、４Ｃ間における体液の移行が速やかに行われるようになる。なお、前記体液拡散シート１５としては、第１形態例に示した体液拡散シート１４と同様に、親水処理した不織布やパルプ不織布など吸収性を有するシート部材を好適に使用することができる。
【００５１】
〔その他の形態例〕
(1)上記第１形態例では、中央部吸収体４Ａの後方側領域においては、図１及び図４に示されるように、中央部吸収体４Ａの裏面側に配置されているバックシート２に対して、生理用ナプキン１の後端縁を越えて外部まで延在する持上げ用部材１３を配設するようにしたが、図１２に示されるように、前記中央部吸収体４Ａの後方側領域において、前記中央部吸収体４Ａの後端縁よりも外部であって、透液性トップシート３と不透液性バックシート２（第２形態例では体液拡散シート１５）とが積層されたシート部分に、指を引っかけるための切込み又は孔１６を形成しておき、装着時に、上記切込み又は孔１６に指を引っかけて上方側に引っ張り上げることによって、中央部吸収体４Ａを臀部の溝の深部に食い込ませ密着させるようにしてもよい。前記切込み又は孔１６は、引っ張った時に破れを防止するため、外側に凸になる形状とするのが望ましい。
(2)或いは、図１３に示されるように、生理用ナプキン１の後端部に、透液性トップシート３とバックシート２（第２形態例では体液拡散シート１５）とが積層されたシートの延在部分によって摘み代１７を形成しておき、装着時に、上記摘み代１７を指で摘んで上方側に引っ張り上げることによって、中央部吸収体４Ａを臀部の溝の深部に食い込ませ密着させるようにしてもよい。前記摘み代１７は、引っ張った時に破れを防止するため、付け根と先端が同幅か、先端に向かって細くなる形状とするのが望ましい。
【図面の簡単な説明】
【００５２】
【図１】本発明の第１形態例に係る生理用ナプキン１の展開図である。
【図２】その横断面図（図１のII−II線矢視図）である。
【図３】その横断面図（図１のIII−III線矢視図）である。
【図４】その縦断面図（図１のIV−IV線矢視図）である。
【図５】中央部吸収体４Ａの形状変形例を示すナプキン展開図である。
【図６】側部吸収体４Ｂ、４Ｃの形状変形例を示すナプキン展開図である。
【図７】体液拡散シート１４を介在させた変形例を示すナプキン横断面図である。
【図８】折畳みシート部分ＰＬにおける接着態様の変形例を示すナプキン横断面図である。
【図９】本生理用ナプキン１の組立手順（その１）を示す展開図である。
【図１０】本生理用ナプキン１の組立手順（その２）を示す横断面図(A)、(B)である。
【図１１】第２形態例に係る生理用ナプキン１であって、本生理用ナプキン１の組立手順を示す横断面図(A)、(B)である。
【図１２】その他の形態例を示すナプキン後部の展開図である。
【図１３】その他の形態例を示すナプキン後部の展開図である。
【符号の説明】
【００５３】
１…生理用ナプキン、２…不透液性バックシート、３…透液性トップシート、４…吸収体、４Ａ…中央部吸収体、４Ｂ・４Ｃ…側部吸収体、５…クレープ紙、７…サイド不織布、１２…補強シート、１３…持上げ用部材、１４・１５…体液拡散シート、１６…切込み又は孔、１７…摘み代、ＢＳ…立体ギャザー、Ｗ…ウイング状フラップ、ＷＢ…臀部側ウイング状フラップ
【図１】
2008161256.tif 000003
【図２】
2008161256.tif 000004
【図３】
2008161256.tif 000005
【図４】
2008161256.tif 000006
【図５】
2008161256.tif 000007
【図６】
2008161256.tif 000008
【図７】
2008161256.tif 000009
【図８】
2008161256.tif 000010
【図９】
2008161256.tif 000011
【図１０】
2008161256.tif 000012
【図１１】
2008161256.tif 000013
【図１２】
2008161256.tif 000014
【図１３】
2008161256.tif 000015